(57)【特許請求の範囲】
【請求項１】
塵埃を空気と共に吸引するための電動送風機および吸引した塵埃を収容する集塵室を内蔵する掃除機本体と、塵埃を含む空気を吸込む吸込口を有する吸込口体と、掃除機本体と吸込口体とを接続する接続管とを備え、前記接続管は、掃除機本体および吸込口体にそれぞれ接続される第１および第２接続部との間に設けられた通気パイプと、第１および第２接続部にそれぞれ設けられ掃除機本体から出力される電力を受電するための受電電極および吸込口体へ電力を供給するための給電電極と、受電および給電電極間を接続する絶縁被覆ワイヤと、通気パイプの長手方向に沿って装着され受電および給電電極と絶縁被覆ワイヤを覆うカバー部材とを有し、前記カバー部材は電気的絶縁基材とその基材に積層された金属被膜とからなり、カバー部材と受電電極とは互いに重なった状態で電気的に絶縁されており、カバー部材と給電電極とは互いに重なった状態で電気的に絶縁されている電気掃除機。
【請求項２】
前記カバー部材と受電電極との間、および前記カバー部材と給電電極との間に、それぞれ絶縁部材が設けられてなる請求項１記載の電気掃除機。
【請求項３】
前記カバー部材は受電電極および給電電極に接触する部分において金属被膜が除去され絶縁基材が露出してなる請求項１記載の電気掃除機。
【請求項４】
前記カバー部材と受電電極との間および前記カバー部材と給電電極との間の一方は絶縁部材によって絶縁され、他方は互いが接触する部分に絶縁基材が露出することによって絶縁されてなる請求項１記載の電気掃除機。
【請求項５】
前記掃除機本体は電力を出力するバッテリーを備え、前記吸込口体は前記バッテリーから出力される電力によって駆動される回転ブラシ用又は自走ローラ用電動機を備える請求項１〜４のいずれか１つに記載の電気掃除機。
【発明の詳細な説明】
【技術分野】
【０００１】
この発明は、電気掃除機に関する。
【背景技術】
【０００２】
この発明の背景技術としては、電動送風機および集塵部を内蔵する本体を備えた電気掃除機において、掃除機本体、塵埃を掃除機本体に搬送するホース、および延長管のような部材に、アルミニウム粒子やパール粒子を分散させた被膜を形成する処理を施すことにより、表面に傷が入りにくく、かつ、汚れが付着しにくくすると共に、意匠性を高めるようにしたものが知られている（例えば、特許文献１参照）。
【先行技術文献】
【特許文献】
【０００３】
【特許文献１】特開平１０−３３４１７号公報
【発明の概要】
【発明が解決しようとする課題】
【０００４】
しかしながら、従来のこのような電気掃除機においては、そのような被膜が部材の表面と裏面にわたって形成され、かつ、導電性を有する場合に、内蔵する帯電部品にその被膜が触れると漏電や短絡というような不都合が生じるという問題があった。
【０００５】
この発明はこのような事情を考慮してなされたもので、部材に形成された被膜が導電性を有する場合でも、安全に使用することが可能な電気掃除機を提供するものである。
【課題を解決するための手段】
【０００６】
この発明は、塵埃を空気と共に吸引するための電動送風機および吸引した塵埃を収容する集塵室を内蔵する掃除機本体と、塵埃を含む空気を吸込む吸込口を有する吸込口体と、掃除機本体と吸込口体とを接続する接続管とを備え、前記接続管は、掃除機本体および吸込口体にそれぞれ接続される第１および第２接続部との間に設けられた通気パイプと、第１および第２接続部にそれぞれ設けられ掃除機本体から出力される電力を受電するための受電電極および吸込口体へ電力を供給するための給電電極と、受電および給電電極間を接続する絶縁被覆ワイヤと、通気パイプの長手方向に沿って装着され受電および給電電極と絶縁被覆ワイヤを覆うカバー部材とを有し、前記カバー部材は電気的絶縁基材とその基材に積層された金属被膜とからなり、カバー部材と受電電極間およびカバー部材と給電電極間が、それぞれ電気的に絶縁されてなる電気掃除機を提供するものである。
【発明の効果】
【０００７】
この発明によれば、掃除機本体と吸込口体とを接続する接続管が金属被膜で覆われても内部の帯電部品と金属皮膜の絶縁性が保証されるので、意匠性を安全に高めることができる。
【図面の簡単な説明】
【０００８】
【図１】この発明の電気掃除機の第１実施形態を示す外観斜視図である。
【図２】図１に示す電気掃除機の要部分解斜視図である。
【図３】図１に示す電気掃除機の内部構成説明図である。
【図４】図１に示す電気掃除機の吸込口体の内部構造を示す平面図である。
【図５】図４に示す吸込口体の内部構造を示す側面図である。
【図６】図１に示す接続管の要部を示す斜視図と側面図である。
【図７】図２に示す接続管の第１接続部を示す斜視図である。
【図８】図７に示す第１接続部の分解斜視図である。
【図９】図２に示す接続管の第２接続部を示す斜視図である。
【図１０】図９に示す第２接続部の分解斜視図である。
【図１１】図７に示す第１接続部の縦断面図である。
【図１２】図９に示す第２接続部の縦断面図である。
【図１３】図２に示す本体側接続部の斜視図である。
【図１４】図１３に示す本体側接続部の分解斜視図である。
【図１５】図２に示す吸込口体側接続部の斜視図である。
【図１６】図１５に示す吸込口体側接続部の分解斜視図である。
【発明を実施するための形態】
【０００９】
この発明の電気掃除機は、塵埃を空気と共に吸引するための電動送風機および吸引した塵埃を収容する集塵室を内蔵する掃除機本体と、塵埃を含む空気を吸込む吸込口を有する吸込口体と、掃除機本体と吸込口体とを接続する接続管とを備え、前記接続管は、掃除機本体および吸込口体にそれぞれ接続される第１および第２接続部との間に設けられた通気パイプと、第１および第２接続部にそれぞれ設けられ掃除機本体から出力される電力を受電するための受電電極および吸込口体へ電力を供給するための給電電極と、受電および給電電極間を接続する絶縁被覆ワイヤと、通気パイプの長手方向に沿って装着され受電および給電電極と絶縁被覆ワイヤを覆うカバー部材とを有し、前記カバー部材は電気的絶縁基材とその基材に積層された金属被膜とからなり、カバー部材と受電電極間およびカバー部材と給電電極間が、それぞれ電気的に絶縁されてなることを特徴とする。
【００１０】
前記カバー部材と受電電極との間、および前記カバー部材と給電電極との間に、それぞれ絶縁部材が設けられてもよい。
前記カバー部材は受電電極および給電電極に接触する部分において金属被膜が除去され絶縁基材が露出することが好ましい。
【００１１】
前記カバー部材と受電電極との間および前記カバー部材と給電電極との間の一方は絶縁部材によって絶縁され、他方は互いが接触する部分に絶縁基材が露出することによって絶縁されてもよい。
前記電源は電力を出力するバッテリーを備え、前記吸込口体は電源から出力される電力によって駆動される回転ブラシ用又は自走ローラ用電動機を備えてもよい。
【００１２】
以下、図面に示す実施形態を用いてこの発明を詳述する。各図面において、同じ構成を有する要素には同じ参照符号を付け、説明を省略している。
【００１３】
（第１実施形態）
電気掃除機の全体構造
図１はこの発明の電気掃除機の第１実施形態を示す外観斜視図、図２と図３はそれぞれ図１に示す電気掃除機の要部分解斜視図と内部構成説明図である。
【００１４】
図１および図２に示すように、電気掃除機１は、掃除機本体２と、吸込口体３と、掃除機本体２を吸込口体３に接続する接続管（延長パイプ）４とを備える。
【００１５】
掃除機本体２は、作業者が手で握るハンドル５と、ハンドル５に設けられ起動・停止スイッチを有する操作部６と、接続管４の基端の第１接続部５１を離脱可能に受入れて接続する本体側接続部７を備える。
【００１６】
接続管４の先端には吸込口体側接続部８を離脱可能に受入れて接続する第２接続部５２が設けられている。
また、吸込口体３は吸込口体側接続部８を吸込口体３に対して約９０度の角度範囲で揺動させることが可能な関節部１０を備える。
【００１７】
また、図３に示すように、掃除機本体２は、取りはずし可能に設置された集塵室１１、集塵室１１の下流側に設けられた集塵フィルタ１２、電動送風機１３、集塵フィルタ１２と電動送風機１３を接続する通風路１４、電動送風機１３の下流に設けられた排気流路３７、および本体側接続部７と集塵室１１との間を接続する流路３９を内蔵する。
【００１８】
なお、集塵室１１には公知のサイクロン方式のものを好適に用いることができる。また、図３に示すように掃除機本体２には、後述するバッテリー１７が交換可能に装填されている。
【００１９】
図１と図３に示す電気掃除機１は床面Ｆに自立している状態を示す。つまり、吸込口体３と接続管４とのなす角度が約９０度より若干小さく掃除機本体２の重心が床面Ｆに対して電気掃除機１を自立させるように平衡している状態にある。
【００２０】
吸込口体の構造
図４は図１に示す電気掃除機の吸込口体の内部構造を示す平面図、図５は図４に示す吸込口体の内部構造を示す側面図である。
【００２１】
図４および図５に示すように、吸込口体３は、天板２４と、底板２５と、それらの間の外周に沿って設けられた側板２６を備える。吸込口体３は、底板２５の吸込口１５に設けられ回転軸の両端が軸受１９で回転可能に支持された回転ブラシ１８と、底板２５に設置され回転ブラシ１８を駆動する第１電動機２１と、回転ブラシ１８の回転軸の一端（左端）に設けられたプーリー２０と、第１電動機２１の出力軸に設けられたプーリー２２と、プーリー２０、２２を連結するタイミングベルト２３を備える。
【００２２】
底板２５の後方には吸込口体３を移動可能に支持する一対の後輪３６が設けられ、底板２５の中央には、一部が底板２５から下方へ露出して床面Ｆ（図３）に接触するように回転可能に支持された自走ローラ２７と、底板２５に設置され自走ローラ２７を駆動する第２電動機２８と、自走ローラ２７の回転軸の一端（左端）に設けられたプーリー２９と、第２電動機２８の出力軸に設けられたプーリー３０と、プーリー２９、３０を連結するタイミングベルト３１が設けられている。
【００２３】
この実施形態では、吸込口体３の内部（図４、図５）おいては、吸込口１５と吸込口体側接続部８とが吸引流路１６によって接続され、吸引流路１６は、自走ローラ２７および第２電動機２８と、天板２４との間を平面上から視て直線状に通るように設けられている。
【００２４】
接続管の構造とその着脱方法
図６は図１に示す接続管の要部を示す斜視図と側面図、図７は図２に示す接続管の第１接続部を示す斜視図、図８は図７の分解斜視図、図９は図２に示す接続管の第２接続部を示す斜視図、図１０は図９の分解斜視図、図１１は図７の縦断面図、図１２は図９の縦断面図である。
【００２５】
図１３は図２に示す本体側接続部の斜視図、図１４は図１３の分解斜視図、図１５は図２に示す吸込口体側接続部の斜視図、図１６は図１５の分解斜視図である。
【００２６】
接続管４は、図６（ａ）に示すカバー部材５３を同図（ｂ）に示す通気パイプ５４の上に被せることによって形成されるが、いずれもＡＢＳ樹脂を材料として成形加工されたものである。
【００２７】
そして、カバー部材５３は表面および裏面が、両面蒸着によってアルミニウムで被覆されている。この実施形態では、カバー部材５３に銀色の光沢をもたせ電気掃除機１の意匠性を高めるようにしている。
【００２８】
また、接続管４の第１接続部５１は、図７、図８、図１１に示すように、通気パイプ５４の先端にテーパー部５５を備えると共に、一対の受電電極保持部５６、カバー取付用のネジ穴部５７、パイプ回り止め５８およびクランプレバー係止凹部５９を備える。
【００２９】
そして、差し込みプラグ部６０ａと保持部６０ｂとからなる一対の受電電極６０の保持部６０ｂがそれぞれ受電電極保持部５６に装着される。その上からＡＢＳ樹脂製の電極絶縁カバー６１が載置され保持部６０ｂをカバーする。
【００３０】
カバー部材５３は、絶縁カバー６１が受電電極６０の保持部６０ｂを受電電極保持部５６に押し付けるように通気パイプ５４に取付けられる。そして、カバー部材５３の端部のカバー取付けビス貫通孔６２から取付けビスが挿入されネジ穴部５７に締付けられる。
【００３１】
それによって、第１接続部５１においてカバー部材５３が通気パイプ５４に固定されると共に、受電電極６０が受電電極保持部５６に確実に固定される。なお、各受電電極６０の保持部６０ｂには、第２接続部５２（図２）へ接続される絶縁被膜ワイヤ６３がはんだ付けされる。
【００３２】
電極絶縁カバー６１は受電電極６０の保持部６０ｂを絶縁被覆ワイヤ６３のはんだ付け部分を含めてカバーし、カバー部材５３の内面のアルミニウム被膜との接触を防止している。
【００３３】
また、接続管４の第２接続部５２は、図９、図１０、図１２に示すように、通気パイプ５４の先端に受電電極貫通支持部６４を備えると共に、一対の給電電極保持部６５、カバー取付け用のネジ穴部６６、クランプレバー突出窓６７および回り止め係止溝６８（図１２）を備える。
【００３４】
そして、一対のソケット形の給電電極６９がそれぞれ給電電極保持部６５に装着される。
【００３５】
その上からＡＢＳ樹脂製の絶縁シート７１が載置され、給電電極６９をカバーする。カバー部材５３は、絶縁シート７１が給電電極６９を給電電極保持部６５に押し付けるように通気パイプ５４に取付られる。
【００３６】
カバー部材５３の上部のカバー取付けビス貫通孔７２から取付けビスが挿入され、絶縁シート７１の貫通孔７３を介してネジ穴部６６に締付けられ、それによってカバー部材５３が通気パイプ５４に固定されると共に、絶縁シート７１および給電電極６９が給電電極保持部６５に確実に固定される。
【００３７】
なお、各給電電極６９には第１接続部５１（図２）へ接続される絶縁被覆ワイヤ６３がはんだ付けされる。絶縁シート７１は給電電極６９をはんだ付け部分を含めてカバーし、カバー部材５３の内面のアルミニウム被膜との接触を防止している。
【００３８】
なお、第２接続部５２においては、通気パイプ５４において、一対の給電電極６９の間にクランプレバー７４が設けられ、支持軸７５によってクランプレバー支持部７６に回転可能に支持される。
【００３９】
そして、クランプレバー７４は、クランプレバー７４の一端のクランプボタン７８がカバー部材５３に形成されたクランプボタン露出口７９から露出すると共に、クランプレバー７４の他端のクランプレバー係止片８０がクランプレバー突出窓６７から突出するように、コイルスプリング７７によって付勢されている。
【００４０】
また、図１３および図１４に示すように、本体側接続部７は図９および図１０に示す第２接続部５２と実質的に同等の構造を有する。
【００４１】
従って、掃除機本体２に接続管４を接続するとき、図７と図８に示す第１接続部５１を本体側接続部７に挿入すると、第１接続部５１のテーパー部５５と受電電極６０とが、本体側接続部７の通気パイプ８１と給電電極６９にそれぞれ受入れられ、第１接続部５１のパイプ回り止め５８（図７）が本体側接続部７の回り止め係止溝６８（図１２）に係止される。
【００４２】
同時にクランプレバー７４（図１４）のクランプレバー係止片８０が第１接続部５１のクランプレバー係止凹部５９（図７）に係止し、クランプボタン７８（図１３）がクランプボタン露出口７９から露出する。それによって本体側接続部７に第１接続部５１が確実に接続される。
【００４３】
また、掃除機本体２から接続管４を取りはずすときには、本体側接続部７のクランプボタン７８（図１３）を押すと、第１接続部５１（図７）のクランプレバー係止凹部５９からクランプレバー係止片８０がはずれるので、両者を引き離すことにより安易に取りはずすことができる。
【００４４】
また、図１５および図１６に示すように吸込口体側接続部８は図７および図８に示す第１接続部５１と実質的に同等の構造を有する。
【００４５】
従って、吸込口体３に接続管４を接続するとき、図９と図１０に示す第２接続部５２を吸込口体側接続部８に挿入すると、吸込口体側接続部８のテーパー部５５と受電電極６０とが、第２接続部５２の通気パイプ５４と給電電極６９にそれぞれ受入れられ、吸込口体側接続部８（図１５）のパイプ回り止め５８が第２接続部５２の回り止め係止溝６８に係止される。
【００４６】
同時にクランプレバー７４のクランプレバー係止片８０が吸込口体側接続部８のクランプレバー係止凹部５９に係止し、クランプボタン７８がクランプボタン露出口７９から露出する。それによって吸込口体側接続部８に第２接続部５２が確実に接続される。
【００４７】
また、吸込口体３から接続管４を取りはずすときには、第２接続部５２のクランプボタン７８を押すと、吸込口体側接続部８のクランプレバー係止凹部５９からクランプレバー係止片８０がはずれるので、両者を引き離すことにより容易に取りはずすことができる。
【００４８】
因みに、本体側接続部７と吸込口側接続部８が上記構造を有するので、図２において、接続管４を取りはずした状態で掃除機本体２の本体側接続部７に吸込口体側接続部８を装着すれば、掃除機本体２に吸込口体３が直結したハンディ型掃除機を実現することができる。
【００４９】
電気掃除機の動作
このような構成における電気掃除機１の動作を説明する。
まず、作業者は図１および図３に示されるように床面Ｆに自立する電気掃除機１のハンドル５を吸込口体３の後方から握り、掃除機本体２を手前に引いて吸込口体３と接続管４とのなす角度を約９０度より大きい所望の角度にする。
【００５０】
次に、操作部６の起動スイッチを操作すると、バッテリー１７（図３）から絶縁被覆ワイヤ６３を介して電動送風機１３と第１電動機２１および第２電動機２８へ電力が供給され、それらが駆動する。
【００５１】
それによって回転ブラシ１８と自走ローラ２７が駆動して吸込口体３が床面Ｆ上を自走すると共に作業者が掃除機本体１を保持しながら吸込口体３に追従させると、回転ブラシ１８の回転によって床面の塵埃が集められ、図３に示すように吸込口１５から空気と共に吸引流路１６、接続管４および流路３９を介して集塵室１１へ吸引される。
【００５２】
集塵室１１へ吸引された塵埃を含む空気は集塵フィルタ１２によってろ過され、清浄な空気のみが流路１４を介して電動送風機１３から排気流路３７を介して外部へ排出される。
【００５３】
一方、集塵フィルタ１２によって捕集された塵埃は重力によって落下し、集塵室１１の底部に集積される。集塵室１１の集塵量が許容最大量に達すると、作業者は集塵室１１を掃除機本体２から取りはずし、集積された塵埃を廃棄することができる。なお、集塵フィルタ１２より落下せずに集塵フィルタ１２に付着した細かい塵埃は、洗浄などして集塵フィルタ１２から塵埃を取り除く。
【００５４】
掃除作業を終了するときには、作業者は操作部６の停止スイッチを操作する。それによって、バッテリー１７から電動送風機１３、第１電動機２１および第２電動機２８への電力の供給が停止され、吸込口体３における自走動作、回転ブラシ１８の回転動作および吸込口１５の吸込動作が停止する。そこで、作業者は、電気掃除機１を図１および図３に示す姿勢に戻して再び底面Ｆ上に自立させ、作業を終了する。
【００５５】
（第２実施形態）
この実施形態においては、第１実施形態の接続管４の電極絶縁カバー６１とカバー部材５３とが、ＡＢＳ樹脂を用いて一体成形される。すなわち、電極絶縁カバー６１を廃止するものである。そして、一体成形された電極絶縁カバーの表面は、蒸着時のマスキングによってアルミニウムの被膜が形成されないように処理される。この実施形態では、カバー部材５３と一体成形された電極絶縁カバーの表面は、電気絶縁性を有するので、第１実施形態の電極絶縁カバー６１と同等の作用効果を有する。
【００５６】
（第３実施形態）
この実施形態においては、第１実施形態の接続管４の絶縁シート７１とカバー部材５３とがＡＢＳ樹脂を用いて一体成形される。すなわち、絶縁シート７１を廃止するものである。そして、一体成形された絶縁シートの表面は、蒸着時のマスキングによってアルミニウムの被膜が形成されないように処理される。この実施形態では、カバー部材５３と一体成形された絶縁シートの表面は、電気絶縁性を有するので、第１実施形態の絶縁シート７１と同等の作用効果を有する。
【符号の説明】
【００５７】
１  電気掃除機、２  掃除機本体、３  吸込口体、４  接続管、５  ハンドル、６  操作部、７  本体側接続部、８  吸込口体側接続部、１０  関節部、１１  集塵室、１２  集塵フィルタ、１３  電流送風機、１４  通風路、１５  吸込口、１６  吸引流路、１７  バッテリー、１８  回転ブラシ、１９  軸受、２０  プーリー、２１  第１電動機、２２  プーリー、２３  タイミングベルト、２４  天板、２５  底板、２６  側板、２７  自走ローラ、２８  第２電動機、２９  プーリー、３０  プーリー、３１  タイミングベルト、３６  後輪、３７  排気流路、３９  流路、Ｃ、Ｄ  吸引流路、Ｆ  床面、５１  第１接続部、５２  第２接続部、５３  カバー部材、５４  通気パイプ、５５  テーパー部、５６  受電電極保持部、５７  ネジ穴部、５８  パイプ回り止め、５９  クランプレバー係止凹部、６０  受電電極、６１  電極絶縁カバー、６２  カバー取付けビス貫通孔、６３  絶縁被覆ワイヤ、６４  受電電極貫通支持部、６５  給電電極保持部、６６  ネジ穴部、６７  クランプレバー突出窓、６８  回り止め係止溝、６９  給電電極、７１  絶縁シート、７２  カバー取付けビス貫通孔、７３  貫通孔、７４  クランプレバー、７５  支持軸、７６  クランプレバー支持部、７７  コイルスプリング、７８  クランプボタン、７９  クランプボタン露出口、８０  クランプレバー係止片
【図１】
0006715065.tif 000002
【図２】
0006715065.tif 000003
【図３】
0006715065.tif 000004
【図４】
0006715065.tif 000005
【図５】
0006715065.tif 000006
【図６】
0006715065.tif 000007
【図７】
0006715065.tif 000008
【図８】
0006715065.tif 000009
【図９】
0006715065.tif 000010
【図１０】
0006715065.tif 000011
【図１１】
0006715065.tif 000012
【図１２】
0006715065.tif 000013
【図１３】
0006715065.tif 000014
【図１４】
0006715065.tif 000015
【図１５】
0006715065.tif 000016
【図１６】
0006715065.tif 000017